(57)【要約】【課題】溶接を伴わない廻止構造を提供する。【解決手段】締結部品１０１を被締結部品１０２に締結した時の被締結部品１０２に対する締結部品１０１の回転を防止する廻止構造１００に於いて、締結部品１０１を被締結部品１０２に締結した時に締結部品１０１と接触する廻止部品１０３を備え、廻止部品１０３は、被締結部品１０２に螺合のみによって固定される廻止構造１００によって課題を解決する事が出来る。【選択図】図１
2020051496.tif 000002
【特許請求の範囲】
【請求項１】
締結部品を被締結部品に締結した時の前記被締結部品に対する前記締結部品の回転を防止する廻止構造に於いて、
前記締結部品を前記被締結部品に締結した時に前記締結部品と接触する廻止部品を備え、
前記廻止部品は、前記被締結部品に螺合のみによって固定される
事を特徴とする廻止構造。
【請求項２】
前記廻止部品は、ボルトによって構成され、
前記ボルトは、頭部又は軸部が前記締結部品と接触する
請求項１に記載の廻止構造。
【発明の詳細な説明】
【技術分野】
【０００１】
締結部品を被締結部品に締結した時の被締結部品に対する締結部品の回転を防止する廻止構造に関する。
【背景技術】
【０００２】
従来は、締結部品（例えば、ブラケット）を被締結部品（例えば、フレーム）に締結した時に締結部品と接触する廻止部品（例えば、板状部品）を被締結部品に溶接する事によって、締結部品を被締結部品に締結した時の被締結部品に対する締結部品の回転（締結力を強める又は弱める方向への回転）を防止している。
【先行技術文献】
【特許文献】
【０００３】
【特許文献１】特開２０１４−８８６５９号公報
【特許文献２】特開２００６−３１６８９７号公報
【特許文献３】特開平１１−２２３１６９号公報
【発明の概要】
【発明が解決しようとする課題】
【０００４】
然し乍ら、廻止部品を被締結部品に溶接している為、締結部品が廻止部品の溶接隅肉に乗り上げるという課題が有る。更に、溶接した部品の強度が低下するという課題も有る。
【０００５】
以上の事情に鑑み、溶接を伴わない廻止構造を提供する事を目的とする。
【課題を解決するための手段】
【０００６】
締結部品を被締結部品に締結した時の前記被締結部品に対する前記締結部品の回転を防止する廻止構造に於いて、前記締結部品を前記被締結部品に締結した時に前記締結部品と接触する廻止部品を備え、前記廻止部品は、前記被締結部品に螺合のみによって固定される廻止構造を提供する。
【０００７】
前記廻止部品は、ボルトによって構成され、前記ボルトは、頭部又は軸部が前記締結部品と接触する事が望ましい。
【発明の効果】
【０００８】
溶接を伴わない廻止構造を提供する事が出来る。
【図面の簡単な説明】
【０００９】
【図１】実施の形態に係る廻止構造を示す平面図である。
【図２】図１の側面図である。
【図３】他の実施の形態に係る廻止構造を示す平面図である。
【図４】図３の側面図である。
【図５】他の実施の形態に係る廻止構造を示す平面図である。
【図６】図５の側面図である。
【図７】他の実施の形態に係る廻止構造を示す平面図である。
【図８】図７の側面図である。
【発明を実施するための形態】
【００１０】
以下、実施の形態を添付図面に順って説明する。
【００１１】
図１及び２に示す様に、実施の形態に係る廻止構造１００は、締結部品１０１を被締結部品１０２に締結した時の被締結部品１０２に対する締結部品１０１の回転を防止する構造であって、締結部品１０１を被締結部品１０２に締結した時に締結部品１０１と接触する廻止部品１０３を備える。
【００１２】
締結部品１０１は、ボルト１０４によって被締結部品１０２に締結される。締結部品１０１を被締結部品１０２に締結する際は、ボルト１０４に加え、ナット（不図示）を使用する事も出来る。
【００１３】
締結部品１０１は、ボルト１０４が挿通される締結部品側挿通孔１０５を有し、被締結部品１０２は、ボルト１０４が挿通される被締結部品側挿通孔１０６と、廻止部品１０３が挿通される廻止部品用挿通孔１０７と、を有する。
【００１４】
被締結部品側挿通孔１０６と廻止部品用挿通孔１０７は、例えば、内螺子（不図示）を有し、ボルト１０４又は廻止部品１０３が螺合される様に構成される。
【００１５】
締結部品１０１は、例えば、ブラケットによって構成され、被締結部品１０２は、例えば、フレームによって構成される。具体的に言えば、廻止構造１００は、例えば、自動車製造時等にブラケットをフレームに締結する際に採用される。
【００１６】
廻止部品１０３は、被締結部品１０２に螺合のみによって固定される。廻止部品１０３は、ボルト１０８によって構成される。ボルト１０８の頭部１０９が締結部品１０１と接触する事によって、締結部品１０１を被締結部品１０２に締結した時の被締結部品１０２に対する締結部品１０１の回転を防止する様に構成される。
【００１７】
図１及び２に示した様に、ボルト１０８が六角ボルトによって構成される場合等、頭部１０９が平面視で多角形状と成る場合は、頭部１０９の辺部を締結部品１０１に当接させる事によって、頭部１０９と締結部品１０１とを面で接触させる事が出来る為、頭部１０９の一部への応力集中を避け、ボルト１０８の破損を抑制する事が出来る。
【００１８】
また、図３及び４に示す様に、ボルト１０８の頭部１０９に代え、ボルト１０８の軸部１１０が締結部品１０１と接触する様にしても良い。
【００１９】
更に、図５及び６に示す様に、廻止部品１０３を六角皿付ボルト１１１によって構成し、締結部品１０１に六角皿付ボルト１１１の皿部１１２を避ける様な回避部１１３を形成する様にしても良い。
【００２０】
回避部１１３は、例えば、段差部によって構成され、段差部の高さは、被締結部品１０２の表面から六角皿付ボルト１１１の皿部１１２の高さを超え、被締結部品１０２の表面から六角皿付ボルト１１１の頭部１０９の高さ未満とされる。
【００２１】
また、図７及び８に示す様に、廻止部品１０３をスタッドボルト１１４によって構成する様にしても良い。尚、スタッドボルト１１４と共に不図示のナットを併用する様にしても良い。
【００２２】
以上に説明した様に、溶接を伴わない廻止構造１００を提供する事が出来る。廻止構造１００は、溶接を伴わない為、当然、締結部品１０１が廻止部品１０３の溶接隅肉に乗り上げるという課題も無いし、溶接した部品の強度が低下するという課題も無い。
【００２３】
また、溶接は、熟練した技能を要するが、廻止構造１００は、溶接を伴わない為、廻止部品１０３を締め込む時の締め付けトルクを適切に管理しさえすれば、作業者の技能に依らず、安定した製品品質を実現する事が出来る。
【００２４】
尚、前述の実施の形態に於いては、廻止部品１０３を１つだけ使用しているが、廻止部品１０３を複数使用する様にしても良い。
【符号の説明】
【００２５】
１００  廻止構造
１０１  締結部品
１０２  被締結部品
１０３  廻止部品
１０４  ボルト
１０５  締結部品側挿通孔
１０６  被締結部品側挿通孔
１０７  廻止部品用挿通孔
１０８  ボルト
１０９  頭部
１１０  軸部
１１１  六角皿付ボルト
１１２  皿部
１１３  回避部
１１４  スタッドボルト
【図１】
2020051496.tif 000003
【図２】
2020051496.tif 000004
【図３】
2020051496.tif 000005
【図４】
2020051496.tif 000006
【図５】
2020051496.tif 000007
【図６】
2020051496.tif 000008
【図７】
2020051496.tif 000009
【図８】
2020051496.tif 000010